(57)【特許請求の範囲】
【請求項１】
顧客から受けた印刷物の配送要求に応じて、印刷物を配送する作業の指示を出力する配送指示システムであって、
前記印刷物を特定する印刷物ＩＤと、該印刷物の改版毎に発番される版番号と、該印刷物の配送期間情報とを関連付けた改版情報を予め登録しておく改版情報登録手段と、
前記印刷物の版番号毎の在庫量を記憶する在庫データベースと、
配送するべき印刷物を特定する前記印刷物ＩＤと、該印刷物の配送先を特定する配送先情報と、該印刷物の配送数とを含む配送要求を受信する配送要求受信手段と、
前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定手段と、
前記在庫データベースを参照して、前記配送品版番号決定手段により決定された版番号の印刷物の在庫が、前記配送要求に含まれる前記配送数分存在するか否かの判定を行う在庫判定手段と、
前記在庫判定手段の判定結果に基づき前記在庫が存在する場合に、前記配送要求に含まれる前記印刷物ＩＤ及び前記配送先情報と、前記配送品版番号決定手段によって決定された版番号とを含む配送指示データを生成して出力する配送指示出力手段と、
前記在庫判定手段の判定結果に基づき前記在庫が存在しない場合に、前記配送品版番号決定手段により決定された版番号の印刷物の印刷指示を出力し、該印刷物の印刷が行われると前記在庫データベースに記憶される前記印刷物の版番号毎の在庫量を更新する印刷指示出力手段と
を備えたことを特徴とする配送指示システム。
【請求項２】
前記配送指示システムは、
前記配送要求に対する配送作業の実績を配送要求元に対して報告する配送実績報告手段をさらに備えたことを特徴とする請求項１に記載の配送指示システム。
【請求項３】
顧客から受けた印刷物の配送要求に応じて、印刷物を配送する作業の指示を出力するコンピュータと、前記印刷物の版番号毎の在庫量を記憶する在庫データベースとを備える配送指示システムにおける配送指示方法であって、
前記コンピュータが、前記印刷物を特定する印刷物ＩＤと、該印刷物の改版毎に発番される版番号と、該印刷物の配送期間情報とを関連付けた改版情報を予め登録しておく改版情報登録過程と、
前記コンピュータが、配送するべき印刷物を特定する前記印刷物ＩＤと、該印刷物の配送先を特定する配送先情報と、該印刷物の配送数とを含む配送要求を受信する配送要求受信過程と、
前記コンピュータが、前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定過程と、
前記コンピュータが、前記在庫データベースを参照して、前記配送品版番号決定過程により決定された版番号の印刷物の在庫が、前記配送要求に含まれる前記配送数分存在するか否かの判定を行う在庫判定過程と、
前記コンピュータが、前記在庫判定過程の判定結果に基づき前記在庫が存在する場合に、前記配送要求に含まれる前記印刷物ＩＤ及び前記配送先情報と、前記配送品版番号決定過程によって決定された版番号とを含む配送指示データを生成して出力する配送指示出力過程と、
前記コンピュータが、前記在庫判定過程の判定結果に基づき前記在庫が存在しない場合に、前記配送品版番号決定過程により決定された版番号の印刷物の印刷指示を出力し、該印刷物の印刷が行われると前記在庫データベースに記憶される前記印刷物の版番号毎の在庫量を更新する印刷指示出力過程と
を有することを特徴とする配送指示方法。
【請求項４】
前記配送指示方法は、
前記コンピュータが、前記配送要求に対する配送作業の実績を配送要求元に対して報告する配送実績報告過程をさらに有することを特徴とする請求項３に記載の配送指示方法。
【請求項５】
顧客から受けた印刷物の配送要求に応じて、印刷物を配送する作業の指示を出力するコンピュータと、前記印刷物の版番号毎の在庫量を記憶する在庫データベースとを備える配送指示システムにおいて、前記コンピュータで動作する配送指示プログラムであって、
前記印刷物を特定する印刷物ＩＤと、該印刷物の改版毎に発番される版番号と、該印刷物の配送期間情報とを関連付けた改版情報を予め登録しておく改版情報登録処理と、
配送するべき印刷物を特定する前記印刷物ＩＤと、該印刷物の配送先を特定する配送先情報と、該印刷物の配送数とを含む配送要求を受信する配送要求受信処理と、
前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定処理と、
前記在庫データベースを参照して、前記配送品版番号決定処理により決定された版番号の印刷物の在庫が、前記配送要求に含まれる前記配送数分存在するか否かの判定を行う在庫判定処理と、
前記在庫判定処理の判定結果に基づき前記在庫が存在する場合に、前記配送要求に含まれる前記印刷物ＩＤ及び前記配送先情報と、前記配送品版番号決定処理によって決定された版番号とを含む配送指示データを生成して出力する配送指示出力処理と、
前記在庫判定処理の判定結果に基づき前記在庫が存在しない場合に、前記配送品版番号決定処理により決定された版番号の印刷物の印刷指示を出力し、該印刷物の印刷が行われると前記在庫データベースに記憶される前記印刷物の版番号毎の在庫量を更新する印刷指示出力処理と
をコンピュータに行わせることを特徴とする配送指示プログラム。
【請求項６】
前記配送指示プログラムは、
前記配送要求に対する配送作業の実績を配送要求元に対して報告する配送実績報告処理をさらにコンピュータに行わせることを特徴とする請求項５に記載の配送指示プログラム。
【発明の詳細な説明】
【０００１】
【発明の属する技術分野】
本発明は、顧客から受けた印刷物の配送要求に応じて、印刷物を配送する作業の指示を出力する配送指示システム、配送指示方法、及び配送指示プログラムに関する。
【０００２】
【従来の技術及び発明が解決しようとする課題】
従来から、印刷の依頼元からの印刷及び配送の依頼を受けて、印刷業者が印刷した印刷物を、印刷の依頼元を経由することなく、配送先へ配送するサービスが知られている。金融、保険会社の約款等の改版が行われる度に全ての利用者に配送するような場合に、金融、保険会社は、印刷業者に対して、配送要求を行うだけでよいため、配送作業の手間を省くことができるという利便性を有している。ところで、配送依頼元からの配送要求は、必要に応じて行われるため、印刷業者は、印刷物を予め印刷しておき、在庫として保管しておくのが一般的である。一方、印刷物を改版して配送する場合、改版された印刷物を配送する期日は、通常何月何日以降と決まっているため、改版された印刷物を決められた期日から配送を開始するには、事前に印刷物を印刷しておき保管しておく必要がある。このため、改版前の印刷物と改版後の印刷物が在庫として存在し、改版後の印刷物を配送するべき時に改版前の印刷物を配送してしまうという配送ミスが発生するという問題がある。この問題は、改版の時間的間隔が短く、かつ頻繁に改版が行われる印刷物であるほど多く発生してしまう。
【０００３】
本発明は、このような事情に鑑みてなされたもので、顧客から受けた印刷物の配送要求に応じて、印刷物の版番号の管理が行われた印刷物の配送指示を出すことができる配送指示システム、配送指示方法、及び配送指示プログラムを提供することを目的とする。
【０００４】
【課題を解決するための手段】
本発明は、顧客から受けた印刷物の配送要求に応じて、印刷物を配送する作業の指示を出力する配送指示システムであって、前記印刷物を特定する印刷物ＩＤと、該印刷物の改版毎に発番される版番号と、該印刷物の配送期間情報とを関連付けた改版情報を予め登録しておく改版情報登録手段と、前記印刷物の版番号毎の在庫量を記憶する在庫データベースと、配送するべき印刷物を特定する前記印刷物ＩＤと、該印刷物の配送先を特定する配送先情報と、該印刷物の配送数とを含む配送要求を受信する配送要求受信手段と、前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定手段と、前記在庫データベースを参照して、前記配送品版番号決定手段により決定された版番号の印刷物の在庫が、前記配送要求に含まれる前記配送数分存在するか否かの判定を行う在庫判定手段と、前記在庫判定手段の判定結果に基づき前記在庫が存在する場合に、前記配送要求に含まれる前記印刷物ＩＤ及び前記配送先情報と、前記配送品版番号決定手段によって決定された版番号とを含む配送指示データを生成して出力する配送指示出力手段と、前記在庫判定手段の判定結果に基づき前記在庫が存在しない場合に、前記配送品版番号決定手段により決定された版番号の印刷物の印刷指示を出力し、該印刷物の印刷が行われると前記在庫データベースに記憶される前記印刷物の版番号毎の在庫量を更新する印刷指示出力手段とを備えたことを特徴とする。
【０００６】
本発明は、前記配送指示システムは、前記配送要求に対する配送作業の実績を配送要求元に対して報告する配送実績報告手段をさらに備えたことを特徴とする。
【０００７】
本発明は、顧客から受けた印刷物の配送要求に応じて、印刷物を配送する作業の指示を出力するコンピュータと、前記印刷物の版番号毎の在庫量を記憶する在庫データベースとを備える配送指示システムにおける配送指示方法であって、前記コンピュータが、前記印刷物を特定する印刷物ＩＤと、該印刷物の改版毎に発番される版番号と、該印刷物の配送期間情報とを関連付けた改版情報を予め登録しておく改版情報登録過程と、前記コンピュータが、配送するべき印刷物を特定する前記印刷物ＩＤと、該印刷物の配送先を特定する配送先情報と、該印刷物の配送数とを含む配送要求を受信する配送要求受信過程と、前記コンピュータが、前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定過程と、前記コンピュータが、前記在庫データベースを参照して、前記配送品版番号決定過程により決定された版番号の印刷物の在庫が、前記配送要求に含まれる前記配送数分存在するか否かの判定を行う在庫判定過程と、前記コンピュータが、前記在庫判定過程の判定結果に基づき前記在庫が存在する場合に、前記配送要求に含まれる前記印刷物ＩＤ及び前記配送先情報と、前記配送品版番号決定過程によって決定された版番号とを含む配送指示データを生成して出力する配送指示出力過程と、前記コンピュータが、前記在庫判定過程の判定結果に基づき前記在庫が存在しない場合に、前記配送品版番号決定過程により決定された版番号の印刷物の印刷指示を出力し、該印刷物の印刷が行われると前記在庫データベースに記憶される前記印刷物の版番号毎の在庫量を更新する印刷指示出力過程とを有することを特徴とする。
【０００９】
本発明は、前記配送指示方法は、前記コンピュータが、前記配送要求に対する配送作業の実績を配送要求元に対して報告する配送実績報告過程をさらに有することを特徴とする。
【００１０】
本発明は、顧客から受けた印刷物の配送要求に応じて、印刷物を配送する作業の指示を出力するコンピュータと、前記印刷物の版番号毎の在庫量を記憶する在庫データベースとを備える配送指示システムにおいて、前記コンピュータで動作する配送指示プログラムであって、前記印刷物を特定する印刷物ＩＤと、該印刷物の改版毎に発番される版番号と、該印刷物の配送期間情報とを関連付けた改版情報を予め登録しておく改版情報登録処理と、配送するべき印刷物を特定する前記印刷物ＩＤと、該印刷物の配送先を特定する配送先情報と、該印刷物の配送数とを含む配送要求を受信する配送要求受信処理と、前記改版情報を参照して、前記配送要求に含まれる前記印刷物ＩＤに関係付けられた配送期間情報と前記印刷物の配送を行うべき日の日付を照らし合わせて、前記印刷物の配送を行うべき日の日付が含まれる配送期間情報に関係付けられた版番号を選択することにより配送するべき印刷物の版番号を決定する配送品版番号決定処理と、前記在庫データベースを参照して、前記配送品版番号決定処理により決定された版番号の印刷物の在庫が、前記配送要求に含まれる前記配送数分存在するか否かの判定を行う在庫判定処理と、前記在庫判定処理の判定結果に基づき前記在庫が存在する場合に、前記配送要求に含まれる前記印刷物ＩＤ及び前記配送先情報と、前記配送品版番号決定処理によって決定された版番号とを含む配送指示データを生成して出力する配送指示出力処理と、前記在庫判定処理の判定結果に基づき前記在庫が存在しない場合に、前記配送品版番号決定処理により決定された版番号の印刷物の印刷指示を出力し、該印刷物の印刷が行われると前記在庫データベースに記憶される前記印刷物の版番号毎の在庫量を更新する印刷指示出力処理とをコンピュータに行わせることを特徴とする。
【００１２】
本発明は、前記配送指示プログラムは、前記配送要求に対する配送作業の実績を配送要求元に対して報告する配送実績報告処理をさらにコンピュータに行わせることを特徴とする。
【００１３】
【発明の実施の形態】
以下、本発明の一実施形態による配送指示システムを図面を参照して説明する。図１は同実施形態の構成を示すブロック図である。この図において、符号１は、配送指示サーバである。符号２０は、得意先の端末であり、配送指示サーバ１に対して、インターネット等を含む通信回線によって接続される。符号２１は、印刷物の版番号切替予定情報を入力して、配送指示サーバ１へ送信する版番号切替予定情報入力部である。符号２２は、印刷物の配送要求を入力して配送指示サーバ１へ送信する配送要求入力部である。符号２３は、配送要求に対する配送状況を配送指示サーバ１より受信して表示する配送状況表示部である。
【００１４】
符号２は、版番号切替予定情報の登録を受け付る登録部である。符号３は、印刷物の配送に関する情報や版番号切替予定情報を格納する保管マスタである。符号４は、版番号切替予定情報を保管マスタ３へ記憶する保管マスタ更新部である。符号５は、配送要求を受信して、版番号切替予定を確認する版番号切替予定確認部である。符号６は、配送要求を受けて配送品の版番号を決定する配送品版番号決定部である。符号７は、在庫品の在庫量を各印刷物毎に記憶した在庫データベース（以下、在庫ＤＢと称する）である。符号８は、要求された印刷物を配送する際に在庫品で引当可能であるかを判定し、引当可能であれば配送の指示を出力する在庫引当部である。符号９は、配送指示を受けて配送指示データを作成する配送指示データ作成部である。符号１０は、配送指示データに基づいて、配送品をピッキングする指示を出力するピッキング部である。符号１１は、ピッキングされた配送品を梱包して発送する指示を出力する梱包・発送部である。符号１２は、配送される配送物である。符号１３は、配送された印刷物の配送実績を作成する配送実績作成部である。符号１４は、配送実績を端末２０に対して送信する配送実績報告部である。
【００１５】
なお、本明細書内で用いる印刷物とは、本、カタログ、チラシ、通帳等であり、紙に所定の印刷方法を用いて文字や図形を印刷したものである。
【００１６】
次に、図４、５を参照して、図１に示す保管マスタ３、在庫ＤＢ７のテーブル構造を説明する。図４は、図１に示す保管マスタ３のテーブル構造を示す図である。図４に示すように、保管マスタ３は、印刷物を特定するための「印刷物ＩＤ」、「印刷物名」、「得意先名」、印刷物の改版毎に発番される「版番号」、「配送期間」の５つのフィールドを有している。ここで、配送期間とは、該当する版番号の印刷物を配送する期間を定義した情報である。
【００１７】
図５は、図１に示す在庫ＤＢ７のテーブル構造を示す図である。図５に示すように、在庫ＤＢ７は、「印刷物ＩＤ」、「版番号」、「在庫量」の３つのフィールドを有している。印刷物ＩＤと版番号によって、印刷物一意に特定することができるとともに、保管マスタ３に記憶されている情報との連携を取ることができる。
【００１８】
次に、図２、３を参照して、図１に示す配送指示サーバ１の動作を説明する。初めに、得意先からの改版情報に基づいて、保管マスタ３を更新する動作を説明する。図２は、保管マスタ３を更新する動作示すフローチャートである。まず、印刷物の改版を行う場合には、得意先の作業者は、事前に端末２０を使用して版番号切替予定データを作成する。ここでいう版番号切替予定データは、印刷物を特定する印刷物ＩＤ、新たな版番号、配送期間からなる。このとき、配送終了の期日が不明である場合、配送期間は、配送開始の日付のみでもよい。この版番号切替予定データは、版番号切替予定情報入力部２１によって配送指示サーバ１へ送信される。
【００１９】
この版番号切替予定データは、登録部２によって受信され、改版の受付がされる（ステップＳ１）。そして、登録部２は、保管マスタ更新部４に対して、受信した版番号切替予定データを出力する。これを受けて、保管マスタ更新部４は、受け取った版番号切替予定データに基づいて、保管マスタ３を更新する（ステップＳ２）。これによって、保管マスタ３には、印刷物の改版が予定されている旨を示す情報が記憶されたこととなる。
【００２０】
次に、得意先の配送要求に基づいて配送指示を出力する動作を説明する。図３は、配送指示を出力する動作を示すフローチャートである。まず、得意先の作業者は、端末２０を使用して配送要求データを作成する。ここでいう配送要求データは、印刷物を特定する印刷物ＩＤと配送先を特定するための配送先情報と配送数からなる。この配送要求データは、配送要求として配送要求入力部２２によって配送指示サーバ１へ送信される。
【００２１】
この配送要求は、版番号切替予定確認部５によって受信され、配送要求が受付られる（ステップＳ１１）。続いて、版番号切替予定確認部５は、受信した配送要求に含まれる印刷物ＩＤに関する情報を保管マスタ３より読み出す（ステップＳ１２）。ここで読み出される情報は、版番号毎の配送期間である。そして、版番号切替予定確認部５は、保管マスタ３から読み出した情報と、受信した配送要求の内容を配送品版番号決定部６へ出力する。これを受けて、配送品版番号決定部６は、本日の日付と配送期間を照らし合わせて、本日の日付が配送期間に含まれる版番号を選択し、この版番号を配送する版番号と決定する（ステップＳ１３）。そして、配送品版番号決定部６は、決定した版番号と配送要求の内容を在庫引当部８へ通知する。
【００２２】
次に、在庫引当部８は、在庫ＤＢ７を参照して、決定された版番号を有する印刷物の在庫量を読み出す（ステップＳ１４）。そして、在庫引当部８は、配送要求を満たす印刷物を在庫品で引当可能かを判定する（ステップＳ１５）。この判定の結果、在庫引当ができない場合、在庫引当部８は、印刷処理を行うサーバに対して印刷指示を出力する（ステップＳ１６）。これによって、在庫が不足している印刷物の印刷が行われ、在庫ＤＢ７が更新される。また、在庫引当部８は、配送実績報告部１４を介して、印刷後の配送になることを端末２０へ報告する（ステップＳ１７）。
【００２３】
次に、在庫引当可能である場合、在庫引当部１１は、配送指示データ作成部９に対して、決定された版番号と配送要求の内容を通知する。これを受けて配送指示データ作成部９は、決定された版番号と配送要求の内容に基づいて配送指示データを作成し、これを配送指示としてピッキング部１０及び梱包・発送部１１へ出力する（ステップＳ１８）。この配送指示データには、印刷物を特定する印刷物ＩＤ、配送先を特定するための配送先情報、版番号、及び配送数が含まれる。
【００２４】
これを受けて、ピッキング部１０は、在庫を保管している倉庫管理のサーバ（図示せず）に対してピッキング指示を出力する。これによって、倉庫内において、配送数だけ在庫品のピッキングが行われる（ステップＳ１９）。そして、梱包・発送部１１は、ピッキングされた在庫品を梱包して、配送先へ発送するように指示を出す。これによって配送物１２が梱包され配送先へ配送される（ステップＳ２０）。
【００２５】
続いて、梱包・発送部１１は、配送指示データに基づく配送が終了したことを配送実績作成部１３へ通知する。これを受けて、配送実績作成部１３は、配送指示データに基づいて、「いつ、どの版番号の印刷物を何部、どこへ配送したか」を示す配送実績データを作成し（ステップＳ２１）、配送実績報告部１４へ出力する。
【００２６】
次に、配送実績報告部１４は、配送実績データを端末２０へ送信することによって配送実績を報告する（ステップＳ２２）。これは、配送状況表示部２３によって受信され、端末２０に備えた表示部に表示される。
【００２７】
このように、印刷物の版番号毎の配送期間に基づいて、配送する印刷物の版番号を決定するようにしたため、間違った版番号の印刷物が配送されることを防止することができる。また、得意先は、印刷物の改版が行われることを事前に登録するようにしたため、配送要求時に版番号を意識することなく配送要求を行うことができる。
【００２８】
なお、図１における各処理部の機能を実現するためのプログラムをコンピュータ読み取り可能な記録媒体に記録して、この記録媒体に記録されたプログラムをコンピュータシステムに読み込ませ、実行することにより配送指示出力処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
【発明の効果】
以上説明したように、本発明によれば、印刷物の改版情報を予め登録しておき、配送する印刷物を特定するための印刷物特定情報を含む配送要求を受信した場合に、改版情報に基づいて、配送要求がされた印刷物の版番号を決定して、この決定された版番号と配送要求に基づいて配送指示データを生成して出力するようにしたため、改版が多い印刷物であっても間違った版番号の印刷物が配送されることを防止することができるという効果が得られる。また、得意先は、印刷物の改版が行われることを事前に登録するようにしたため、配送要求時に版番号を意識することなく配送要求を行うことができるという効果も得られる。
【００３１】
また、本発明によれば、配送要求を満たす印刷物の在庫が存在するか否かの判定を、印刷物の在庫量を記憶した在庫データベースを参照して行い、在庫が存在する場合に配送指示を出力するようにしたため、在庫の管理と連動して印刷物の配送が可能になるという効果が得られる。
【００３２】
また、本発明によれば、配送要求に対する配送作業の実績を配送要求元に対して報告するようにしたため、配送要求元は、要求に対する配送作業の状況を知ることができるという効果が得られる。
【図面の簡単な説明】
【図１】  本発明の一実施形態の構成を示すブロック図である。
【図２】  図１に示す配送指示サーバ１の動作を示すフローチャートである。
【図３】  図１に示す配送指示サーバ１の動作を示すフローチャートである。
【図４】  図１に示す保管マスタ３のテーブル構造の一例を示す説明図である。
【図５】  図１に示す在庫ＤＢ７のテーブル構造の一例を示す説明図である。
【符号の説明】
１・・・配送指示サーバ、        ２・・・登録部、
３・・・保管マスタ、            ４・・・保管マスタ更新部、
５・・・版番号切替予定確認部、  ６・・・配送品版番号決定部、
７・・・在庫ＤＢ、              ８・・・在庫引当部、
９・・・配送指示データ作成部、  １０・・・ピッキング部、
１１・・・梱包・発送部、        １２・・・配送物、
１３・・・配送実績作成部、      １４・・・配送実績報告部、
２０・・・端末、                ２１・・・版番号切替予定情報入力部、
２２・・・配送要求入力部、      ２３・・・配送状況表示部。
【図１】
0004218237.tif 000002
【図２】
0004218237.tif 000003
【図３】
0004218237.tif 000004
【図４】
0004218237.tif 000005
【図５】
0004218237.tif 000006